(57)【要約】【課題】  設置スペースが少なくて済む小型でコンパクトな紙幣識別機の紙幣引き抜き防止機構を提案すること。【解決手段】  紙幣識別機の紙幣引き抜き防止機構１１は、紙幣搬送路３からの紙幣Ｐの引き抜きを防止可能な突出位置１３Ａおよび当該紙幣搬送路３から退避した退避位置１３Ｂの間を揺動可能な揺動部材１３と、紙幣搬送路３の幅方向に往復移動可能な直線移動部材１４と、直線移動部材１４に形成した突起１６と、揺動部材１３に形成され、紙幣搬送路３の幅方向に傾斜している傾斜面部分１７ａを備えた摺動面１７と、突起１６および摺動面１７の当接状態を保持している捩じりばね１８とを有している。直線移動部材１４が移動すると、突起１６が傾斜面部分１７ａに沿って摺動面から下りて揺動部材１３が退避位置１３Ｂから突出位置１３Ａに揺動して、紙幣Ｐの引き抜きが阻止される。【選択図】  図２
2006079158.tif 000002
【特許請求の範囲】
【請求項１】
紙幣識別機の紙幣搬送路から紙幣が引き抜かれることを防止するための紙幣引き抜き防止機構において、
前記紙幣搬送路の幅方向に延びる揺動中心線を中心として、前記紙幣搬送路からの紙幣の引き抜きを防止可能な突出位置、および当該紙幣搬送路から退避した退避位置の間を揺動可能な揺動部材と、
前記紙幣搬送路の幅方向に往復移動可能な直線移動部材と、
前記揺動部材および前記直線移動部材の一方の部材に形成された突起と、
前記揺動部材および前記直線移動部材の他方の部材に形成され、前記紙幣搬送路の幅方向に傾斜している傾斜面部分を備えた摺動面と、
前記突起および前記摺動面の当接状態を保持している付勢部材とを有し、
前記直線移動部材が移動すると、前記突起が前記摺動面の前記傾斜面部分に沿って摺動して、前記揺動部材が、前記退避位置から前記突出位置、あるいは、前記突出位置から前記退避位置に揺動することを特徴とする紙幣識別機の紙幣引き抜き防止機構。
【請求項２】
請求項１において、
前記揺動部材は、前記紙幣搬送路の幅方向に平行に配置された揺動板と、この揺動板の後端部分の幅方向の両側に形成した揺動軸と、前記揺動板の前記紙幣搬送路側の表面における先端部分に形成した引き抜き防止用の爪と、前記揺動板の前記表面に形成した前記摺動面とを備えており、
前記直線移動部材は、前記紙幣搬送路と前記揺動板の間において、前記紙幣搬送路の幅方向に平行に配置された細長い直線移動板と、この直線移動板の前記揺動板側の表面における前記摺動面に対峙している部位に形成した前記突起とを備えており、
前記付勢部材は、前記揺動部材を前記紙幣搬送路の側に向けて付勢しているばね部材であり、
前記直線移動板が第１位置から第２位置に移動すると、前記突起が前記摺動面の傾斜面部分に乗り上げて前記揺動板が前記退避位置まで揺動して、前記爪が前記紙幣搬送路から退避し、
前記直線移動板が前記第２位置から前記第１位置に移動すると、前記突起が前記傾斜面部分に沿って前記摺動面から下りて前記揺動板が前記突出位置まで揺動作して、前記爪が前記紙幣搬送路内に突出することを特徴とする紙幣識別機の紙幣引き抜き防止機構。
【請求項３】
請求項１または２に記載の紙幣引き抜き防止機構を有していることを特徴とする紙幣識別機。
【発明の詳細な説明】
【技術分野】
【０００１】
本発明は、遊技台用台間機、自動販売機、両替機などに組み込まれている紙幣識別機に関し、特に、紙幣挿入口から挿入されて紙幣搬送路内に留まっている紙幣が不正に抜き取られることを防止するための紙幣引き抜き防止機構に関するものである。
【背景技術】
【０００２】
パチンコ店などの遊技店においては、多数台の遊技台が台間機を挟み配列され、遊技者が遊技台から離れることなく、隣接する台間機から遊技媒体の貸し出しを受けることができるようになっている。台間機としては、紙幣により遊技媒体の貸し出しを行うことができるように、紙幣識別機を備えたものが知られている。
【０００３】
紙幣識別機は、一般に、紙幣挿入口から挿入された紙幣を搬送する紙幣搬送機構と、挿入された紙幣の真偽、種類などを判別するための判別機構と、真札であると判断された紙幣を収納するストッカとを備えている。紙幣挿入口から挿入された紙幣は、紙幣搬送機構によって搬送され、所定の紙幣搬送路上において一時的に留まり、真偽の判別を経た後に、ストッカに収納される。
【０００４】
このような紙幣識別機では、挿入されて真偽の判別を経た後に紙幣搬送路に一時的に留まっている紙幣が、不正行為により、紙幣挿入口を介して引き抜かれるおそれがある。そこで、従来においては、紙幣搬送路にシャッタ手段を配置して、挿入された紙幣が不正に引き抜かれないようにしている。シャッタ手段を備えた紙幣引き抜き防止機構は、例えば、下記の特許文献１に開示されている。
【０００５】
ここに開示されているシャッタ手段は、紙幣搬送路に形成されているスリットを、上下方向(紙幣搬送路に直交する方向)にスライド自在なプレートと、このプレートをスライドさせるためのラック・ピニオン機構とを備えている。挿入された紙幣がシャッタ手段の下流側に通過すると、ラック・ピニオン機構によってプレートがスリットを貫通して移動して、紙幣搬送路を封鎖する。この結果、紙幣を引き出すことが不可能になる。
【特許文献１】特開平０７−１２９８１６号公報
【発明の開示】
【発明が解決しようとする課題】
【０００６】
ここで、一般的な自動販売機や両替機などに紙幣識別機を組み込む場合には、その設置スペースを十分に確保できることが多い。しかし、遊技店などにおける遊技台の間あるいは隣接位置に設置される台間機において、多数台の遊技台を設置できるようにするために台間機の設置スペースが極めて制限される。よって、小さな設置スペースに設置される台間機に組み込まれる紙幣識別機の設置スペースも自ずと小さくなる。
【０００７】
このような限れられた設置スペースに設置される紙幣識別機は可能な限り小型化を図ることが望ましい。このためには、各構成部分の小型化、コンパクト化を図る必要がある。ここで、従来における紙幣引き抜き防止機構は、紙幣搬送路に直交する方向に移動するプレートを備えているので、プレートの移動範囲を包含する設置スペースが必要である。また、プレートを移動させるための機構もラック、ピニオンなどの複数の部品が必要である。よって、従来の紙幣引き抜き防止機構は所定の設置スペースが必要であり、台間機に組み込む紙幣識別機に搭載するためには、更なる小型化、コンパクト化を図ることが望ましい。
【０００８】
本発明の課題は、このような点に鑑みて、小型化およびコンパクト化を図るのに適した紙幣識別機の紙幣引き抜き防止機構を提案することにある。
【０００９】
また、本発明の課題は、小型でコンパクトな紙幣引き抜き防止機構を備えた小型でコンパクトな紙幣識別機を提案することにある。
【課題を解決するための手段】
【００１０】
上記の課題を解決するために、本発明は、紙幣識別機の紙幣搬送路から紙幣が引き抜かれることを防止するための紙幣引き抜き防止機構において：前記紙幣搬送路の幅方向に延びる揺動中心線を中心として、前記紙幣搬送路からの紙幣の引き抜きを防止可能な突出位置、および当該紙幣搬送路から退避した退避位置の間を揺動可能な揺動部材と；前記紙幣搬送路の幅方向に往復移動可能な直線移動部材と；前記揺動部材および前記直線移動部材の一方の部材に形成された突起と；前記揺動部材および前記直線移動部材の他方の部材に形成され、前記紙幣搬送路の幅方向に傾斜している傾斜面部分を備えた摺動面と；前記突起および前記摺動面の当接状態を保持している付勢部材とを有し；前記直線移動部材が移動すると、前記突起が前記摺動面の前記傾斜面部分に沿って摺動して、前記揺動部材が、前記退避位置から前記突出位置、あるいは、前記突出位置から前記退避位置に揺動することを特徴としている。
【００１１】
ここで、前記揺動部材を、前記紙幣搬送路の幅方向に平行に配置された揺動板と、この揺動板の後端部分の幅方向の両側に形成した揺動軸と、前記揺動板の前記紙幣搬送路に対峙している表面における先端部分に形成した引き抜き防止用の爪と、前記揺動板の前記表面に形成した前記摺動面とを備えた構成とすることができる。また、前記直線移動部材を、前記紙幣搬送路と前記揺動板の間において、前記紙幣搬送路の幅方向に平行に配置された細長い直線移動板と、この直線移動板の前記揺動板側の表面における前記摺動面に対峙している部位に形成した前記突起とを備えた構成とすることができる。さらに、前記付勢部材を、前記揺動部材を前記紙幣搬送路の側に向けて付勢しているばね部材とすることができる。この場合には、前記直線移動板が第１位置から第２位置に移動すると、前記突起が前記摺動面の傾斜面部分に乗り上げて前記揺動板が前記退避位置まで揺動して、前記爪が前記紙幣搬送路から退避し、前記直線移動板が前記第２位置から前記第１位置に移動すると、前記突起が前記傾斜面部分に沿って前記摺動面から下りて前記揺動板が前記突出位置まで揺動作して、前記爪が前記紙幣搬送路内に突出するようにすればよい。
【００１２】
次に、本発明は紙幣識別機に関するものであり、上記構成の紙幣引き抜き防止機構を有していることを特徴としている。
【発明の効果】
【００１３】
本発明の紙幣識別機の紙幣引き抜き防止機構では、揺動部材を用いて紙幣の引き抜きを防止している。揺動部材の設置スペースおよびその揺動のためのスペースは、プレートを紙幣搬送路に直交する方向に移動させる場合に比べて小さくて済む。また、揺動部材および直線移動部材を紙幣搬送路の幅方向に向けて当該紙幣搬送路と平行に配置することにより、紙幣搬送路の直交方向におけるこれらの部材の設置スペースが少なくて済む。さらに、双方の部材の一方に形成した突起と、他方の部材に形成した傾斜面部分を備えた摺動面との機械的係合によって、揺動部材を揺動させているので、ラック、ピニオン等の部品を備えている場合に比べて機構が簡単になり、設置スペースも少なくて済む。よって、本発明によれば、従来に比べて設置スペースが少なくて済む小型でコンパクトな紙幣引き抜き防止機構を実現できる。
【００１４】
したがって、本発明による紙幣引き抜き防止機構を備えた紙幣識別機は、紙幣引き抜き防止機構の設置スペースが少なくて済むので、全体として小型化、コンパクト化を達成することができる。このため、特に設置スペースが限られている遊技台用の台間機などに搭載するのに適している。
【発明を実施するための最良の形態】
【００１５】
以下に、図面を参照して、本発明を適用した紙幣識別機の一例を説明する。
【００１６】
図１は本例の紙幣識別機の紙幣引き抜き防止機構が組み込まれている部分を示す部分裏面図であり、図２はそのII−II線で切断した部分を示す説明図である。紙幣識別機１の基本構成は、従来のものと同様であり、紙幣挿入口２と、挿入された紙幣Ｐを搬送するための紙幣搬送路３と、紙幣搬送路３上において紙幣Ｐの真偽および金種などを判別するための判別機構(図示せず)と、真札であると判別された紙幣Ｐを収納するためのストッカ(図示せず)を有している。紙幣搬送路３には、当該紙幣搬送路上にある紙幣Ｐが紙幣挿入口２から引き抜かれることを防止するための紙幣引き抜き防止機構１１が付設されている。
【００１７】
紙幣搬送路３は、一定の間隔で対向配置した上側ガイド板４および下側ガイド板５の間に形成されており、それらの端部に上下に広がった紙幣挿入口２が形成されている。下側ガイド板５が取り付けられているシャーシ６における紙幣搬送方向Ａに離れた位置には、左右一対の駆動プーリ７ａおよび左右一対の従動プーリ７ｂが配置され、これらの間にはそれぞれ搬送ベルト７ｃが架け渡されている。駆動プーリ７ａは搬送モータ８によって駆動される。搬送ベルト７ｃの表面は下側ガイド板５から紙幣搬送路３に露出しており、当該搬送ベルト７ｃには、上側ガイド板４の側に配置された複数のガイドローラ９が連れ回り可能な状態で当接している。紙幣挿入口２から紙幣Ｐを所定量だけ差し込むと、内蔵のセンサ(図示せず)によって紙幣Ｐが検知されて、搬送モータ８によって下側の左右一対の搬送ベルト７ｃが駆動を開始し、これらの搬送ベルト７ｃと、これらに接している上側のガイドローラ９との間に挟まれた状態で、紙幣Ｐが紙幣搬送路３に沿って内部に送り込まれる。
【００１８】
図３(ａ)は紙幣引き抜き防止機構１１を示す裏面図であり、図３(ｂ)および(ｃ)はその動作を示すための側面図である。これらの図も参照して説明すると、本例の紙幣引き抜き防止機構１１は、紙幣搬送路３における従動プーリ７ｂが配置されている下側ガイド板５の裏面側に配置されており、紙幣搬送路３の幅方向に向けて紙幣搬送路３と平行に延びる揺動中心線１２を中心として、紙幣搬送路３からの紙幣Ｐの引き抜きを防止可能な突出位置１３Ａ、および当該紙幣搬送路３から退避した退避位置１３Ｂの間を揺動可能な揺動部材１３を備えている。また、紙幣搬送路３の幅方向に沿って当該紙幣搬送路３に平行な方向に往復直線運動が可能な状態に保持されている直線移動部材１４と、この直線移動部材１４を直線往復移動させるためのソレノイド１５とを備えている。
【００１９】
揺動部材１３および直線移動部材１４の一方の部材には、紙幣搬送路３にほぼ直交する方向に延びる紙幣引き抜き防止用の突起１６が形成されている。本例では、直線移動部材１４の側に一対の突起１６が形成されている。また、揺動部材１３および直線移動部材１４の他方の部材には、紙幣搬送路３の幅方向に傾斜している傾斜面部分１７ａを備えた摺動面１７が形成されている。本例では、揺動部材１３の側に一対の摺動面１７が形成されている。さらに、突起１６および摺動面１７の当接状態を保持するための付勢部材として、捩じりばね１８を備えている。
【００２０】
各部の構造を詳細に説明する。まず、揺動部材１３は、紙幣搬送路３の幅方向に沿って当該紙幣搬送路に平行となるように配置された揺動板２１を備えている。揺動板２１の後端部の左右の側面には、揺動中心線１２を中心とする揺動軸２２が一体形成されており、これらの揺動軸２２がシャーシ６４によって回転自在の状態で支持されている。また、一方の揺動軸２２には捩じりばね１８が取り付けられており、揺動板２１を常に、紙幣搬送路３の方向、すなわち、下側ガイド板４に向かう方向に所定のばね力によって付勢している。
【００２１】
この揺動板２１の紙幣搬送路３に対峙している側の表面２１ａにおける先端部分には、幅方向に沿って所定の間隔で引き抜き防止用の爪２３が一体形成されている。また、当該表面２１ａにおける後端に近い部分には、左右一対の摺動面１７が一体形成されている。摺動面１７は、表面２１ａから幅方向に向けて徐々に隆起している傾斜面部分１７ａと、この傾斜面部分１７ａに連続した頂面部分１７ｂとを備えた台形状のものである。
【００２２】
次に、直線移動部材１４は、紙幣搬送路３の下側ガイド板５と揺動板２１の間において、紙幣搬送路３の幅方向に沿って当該紙幣搬送路と平行に配置された細長い直線移動板３１を備えている。この直線移動板３１の揺動板２１に対峙している表面３１ａには、揺動板側の各摺動面１７に対峙している部位に突起１６が一体形成されている。突起１６は直線移動板３１の表面３１から垂直に突出した円柱状突起であり、その先端面は半球面とされ、揺動板側の摺動面１７上を幅方向に向けて滑らかに摺動可能となっている。さらに、直線移動板３１の一端は直角に折れ曲がった取付部３２とされており、ここに、ソレノイド１５のプランジャ１５ａの先端部が連結されている。
【００２３】
この構成の紙幣識別機１の紙幣引き抜き防止機構１１の動作を説明する。初期状態においては、図２の想像線、および図３(ｂ)に示すように、直線移動部材１４の突起１６は、揺動部材１３の摺動面１７から外れた揺動板表面３１ａに当っている。この状態は捩じりばね１８のばね力によって保持され、揺動部材１３の紙幣引き抜き防止用の爪２３が下側ガイド板５に形成されているスリット５ａ(図１参照)を通って紙幣搬送路３内に突出して、紙幣の引き抜きができない突出位置１３Ａとなっている。
【００２４】
紙幣挿入口２から紙幣Ｐが挿入されたことが検出されると、ソレノイド５が励磁され、そのプランジャ１５ａが吸引されて、直線移動部材１４が紙幣搬送路３の幅方向に引かれるので(直線移動部材１４が第１位置から第２位置に移動するので)、そこに形成されている突起１６は、揺動部材１３の側の摺動面１７の傾斜面部分１７ａに沿って摺動してその頂面１７ｂに乗り上げる。この結果、揺動部材１３はばね力に逆らって紙幣搬送路３から遠ざかった退避位置１３Ｂに揺動して、その紙幣引き抜き防止用の爪２３が紙幣搬送路３から退避する。よって、紙幣挿入口２から挿入された紙幣Ｐを紙幣搬送路３に沿って搬送することが可能になる。図２の実線および図３(ｃ)はこの状態を示してある。
【００２５】
紙幣挿入口２から挿入された紙幣Ｐは、紙幣搬送路３に沿って内部に送り込まれ、内蔵の判別機構(図示せず)によってその真偽などが判別される。図２においては、この状態における紙幣Ｐの紙幣搬送路上の位置を示してある。紙幣Ｐの後端縁Ｐａは紙幣引き抜き防止用の爪２３よりも搬送方向Ａの下流側(内部)に位置している。
【００２６】
紙幣Ｐの後端縁Ｐａが爪２３よりも下流側に到ると、紙幣引き抜き防止機構１１のソレノイド１５が消磁されて、そのプランジャ１５ａが突出位置に復帰する。この結果、直線移動部材１４が紙幣搬送路３の幅方向に押し出されるので(直線移動部材１４が第２位置から第１位置に移動するので)、そこに形成されている突起１６は、揺動部材１３の側の摺動面１７における頂面１７ｂから傾斜面部分１７ａに沿って摺動して、揺動板表面３１ａに到る。揺動部材１３は捩じりばね１８によって直線移動部材１４の側に付勢されているので、これに伴って、直線移動部材１４の側に揺動して、図２の想像線および図３(ｂ)に示す突出位置１３Ａに到る。この結果、揺動部材１３の紙幣引き抜き防止用の爪２３が下側ガイド板５に形成されているスリット５ａ(図１参照)を通って紙幣搬送路３内に突出して、紙幣の引き抜きができない状態が形成される。この後に、紙幣Ｐの真偽の判別動作が終了して、紙幣Ｐが不図示のストッカに収納される。
【００２７】
このように、本例の紙幣識別機１の紙幣引き抜き防止機構１１は、揺動部材１３、直線移動部材１４、ソレノイド１５および捩じりばね１６から構成でき、これらの部品の移動範囲も極めて少なくて済む。また、揺動部材１３、直線移動部材１４は紙幣搬送路３の裏面側においてそれに平行に幅方向に配置されているので、それらの設置スペース、特に紙幣搬送路に直交する方向の設置スペースが少なくて済む。よって、従来の紙幣引き抜き機構に比べて、設置スペースが少なくて済む小型でコンパクトな紙幣引き抜き機構を実現できる。
【図面の簡単な説明】
【００２８】
【図１】本発明を適用した紙幣識別機の紙幣引き抜き防止機構を示す部分裏面図である。
【図２】図１のII−IIで切断した部分を示す説明図である。
【図３】(ａ)は図１の紙幣引き抜き防止機構を示す裏面図であり、(ｂ)および(ｃ)はその動作を説明するための側面図である。
【符号の説明】
【００２９】
１    紙幣識別機
２    紙幣挿入口
３    紙幣搬送路
４    上側ガイド板
５    下側ガイド板
６    シャーシ
７ｃ  搬送ベルト
８    搬送モータ
９    ガイドローラ
１１  紙幣引き抜き防止機構
１２  揺動中心線
１３  揺動部材
１３Ａ  突出位置
１３Ｂ  退避位置
２１  揺動板
２１ａ  表面
２２  揺動軸
２３  爪
１４  直線移動部材
３１  直線移動板
３１ａ  表面
３２  取付部
１５  ソレノイド
１６  突起
１７  摺動面
１７ａ  傾斜面部分
１７ｂ  頂面
１８  捩じりばね
Ｐ    紙幣
Ｐａ  紙幣の後端縁
【図１】
2006079158.tif 000003
【図２】
2006079158.tif 000004
【図３】
2006079158.tif 000005